(57)【要約】      （修正有）【課題】寸法測定用の目盛が記されている測定用テープ上に、鉛筆やボールペンなどの筆記具を用いてメモ書き可能なエリアを設けた巻尺を提供する。【解決手段】測定用テープ１の長手方向一側寄りに目盛２を設けて、この目盛２に概ね隣接する該測定用テープ１上に、鉛筆やボールペンなどの筆記具を用いてメモ書き可能なエリア３を設ける。【選択図】図１
0003189997.tif 000002
【実用新案登録請求の範囲】
【請求項１】
寸法測定用の目盛が測定用テープの長手方向一側端寄りに設けられ、上記目盛に概ね隣接する該テープ上に、鉛筆やボールペンなどの筆記具を用いてメモ書き可能なエリアが設けられていることを特徴とする巻尺。
【請求項２】
上記目盛を、測定用テープの長手方向両側端寄りにそれぞれ設けていることを特徴とする請求項１に記載の巻尺。
【請求項３】
上記エリア内に、任意のマークを印していることを特徴とする請求項１に記載の巻尺。
【考案の詳細な説明】
【技術分野】
【０００１】
本考案は、普通に寸法測定もできると共に、測定用テープ上に鉛筆やボールペンなどの筆記具でメモ書きできるようにした巻尺に関する。
【背景技術】
【０００２】
従来、巻尺の測定用テープには寸法測定用の目盛が設けられ、該目盛によって被測定物の寸法を測定できるようになっている。また、目盛は測定用テープの長手方向両側に設けられているのが普通なので、測定者が好みの側の目盛を用いて被測定物の寸法を測定している。
【０００３】
また、測定用テープは所定の職業に合わせ、これに特化した専用の目盛を設けているものもあり、測定用テープの長手方向一側の目盛を専用目盛としているものが多い。そして用途によっては、測定用テープの長手方向両側の目盛を専用目盛としているものもある。
【０００４】
ところで、上述のような測定用テープを用いて被測定物の複数部位の寸法を測定する場合に、大多数の人は、各部位を測定する毎にその測定した寸法を別に用意したメモ用紙などに書きとめながら行っている。このため、測定の中断時間が長くスムースな寸法測定を行うことができなかった。
【先行技術文献】
【特許文献】
【０００５】
【特許文献１】特開２００４−２２６１２５号公報
【考案の概要】
【考案が解決しようとする課題】
【０００６】
本考案の目的とするところは、測定の中断時間を小なるものにするため、測定用テープ上に、鉛筆やボールペンなどの筆記具を用いてメモ書き可能なエリアを設けた巻尺を提供できるようにすることにある。
【課題を解決するための手段】
【０００７】
上述した課題を解決するために、本考案に係る巻尺は、寸法測定用の目盛が測定用テープの長手方向一側端寄りに設けられ、上記目盛に概ね隣接する該テープ上に、鉛筆やボールペンなどの筆記具を用いてメモ書き可能なエリアが設けられていることを特徴とするものである。
【０００８】
また、上記目盛を、測定用テープの長手方向両側端寄りにそれぞれ設けていることを特徴とするものである。
【０００９】
また、上記エリア内に、任意のマークを印していることを特徴とするものである。
【００１０】
上記目盛および上記エリアは、巻尺の使用形態により測定用テープの表裏両面に設ける場合もある。また、目盛や目盛数字の大きさは、巻尺の使用形態などに合わせて所望の大きさにすればよく、そして、メモ部となるエリアの広さも、巻尺の使用形態などに合わせて所望の広さにすればよい。
【００１１】
上記測定用テープの少なくとも上記エリアは、必要に応じて従来技術により表面加工や表面処理（例えば、エンボスや艶消し）を行い、鉛筆やボールペンなどの筆記具にてメモ書きする際に、文字や数字などが明瞭に書けるようにするのが望ましい。
【００１２】
また、上記エリアへの筆記に支障が生じないように、目盛の摩耗保護やテープ折れ防止などのためのコーティングやフィルム貼付、測定用テープの抗菌処理などを行ってもよい。
【００１３】
そして、測定用テープの素材も特に限定するものではなく、グラスファイバーなどの樹脂や適当な金属から形成すればよい。また、測定用テープは、用途によりテープの幅方向を平坦にしたり、引き出した測定用テープが直立するよう適当に湾曲させている。
【考案の効果】
【００１４】
本考案の巻尺によれば、測定用テープにより被測定物の寸法を普通に測定できると共に、該測定用テープ上の寸法測定用の目盛に隣接して鉛筆やボールペンなどの筆記具を用いてメモ書き可能なエリアが設けられているので、被測定物の長さなど一般的な寸法測定に加え、例えば、設計図に表示された寸法を対象物に印す（マーキング）ときなどは、予め設計図の表示寸法を、設計図の表示寸法に対応する測定用テープの上記目盛に隣接するエリアに記しておくことで、設計図の表示寸法を対象物に記すとき、素早くかつ正確に記すことができる。
【００１５】
また、被測定物の複数の寸法測定部位の寸法を測定する場合などは、寸法測定毎にこの部位の寸法を示している目盛に隣接するエリアに、例えば、測定部位の名称などを記していくことで、従来、測定寸法のメモ用紙への書きとめにより生じていた測定の長時間の中断もないため、複数部位の寸法測定を行う場合もスムースに行うことができる。
【００１６】
本巻尺は、普通に被測定物の寸法を測定することができ、しかも、ユーザーが個人レベルで自分の使い方に合うようにカスタマイズできるため、従来では職人レベルの使い方までしか合わせられなかった巻尺を個人レベルの使い方まで合わせることができるので、専門職などプロのユーザーだけではなく工作などを趣味とする一般のユーザーにも使い勝手のよい巻尺を提供することができる。
【図面の簡単な説明】
【００１７】
【図１】本考案に係る巻尺の測定用テープの平面図。
【図２Ａ】測定用テープの使用例を示した図。
【図２Ｂ】測定用テープの使用例を示した図。
【図２Ｃ】測定用テープの使用例を示した図。
【図３Ａ】測定用テープの使用例を示した図。
【図３Ｂ】測定用テープの使用例を示した図。
【図３Ｃ】測定用テープの使用例を示した図。
【図３Ｄ】測定用テープの使用例を示した図。
【図４】他形態の測定用テープを示した測定用テープの平面図。
【図５】他形態の測定用テープを示した測定用テープの平面図。
【考案を実施するための形態】
【００１８】
以下、本考案に係る巻尺の測定用テープを、添付図面に示す具体例に基づいて説明する。図１は、本測定用テープ1の平面図で、測定用テープ１の長手方向一側端寄りに寸法測定用の目盛２を設けて、この目盛２に概ね接する（隣接）部位を空白のエリア３にし、このエリア３に鉛筆やボールペンなどの筆記具を用いてメモ書きできるようにしている。また、図中の符号４は、測定用テープ１先端に設けているフック、図中の符号５は、本測定用テープ1を備える巻尺である。
【００１９】
図２Ａ〜図２Ｃおよび図３Ａ〜図３Ｄは、測定用テープ１の使用例を示しており、図２Ａ〜図２Ｃは、設計図の寸法（縦寸法／横寸法／マーク位置）を、被記入対象物にマーキング（印す）するときの測定用テープ１の使用例である。
【００２０】
先ず、図２Ａに示すように、設計図中に表示されている寸法（縦寸法／横寸法／マーク位置）を、図２Ｂに示すように、測定用テープ１の目盛２に隣接するエリア３に鉛筆やボールペンなどの筆記具により記す。そして、図２Ｃに示すように、測定用テープ１に印された縦寸法／横寸法／マーク位置を、被記入対象物にマーキング（印す）すればよい。この後、測定用テープ１上のメモ書きを、消しゴムなどによって消せばよい。
【００２１】
図３Ａ〜図３Ｄは、被測定物の寸法を測定するときの測定用テープ１の使い方であり、図３Ａ〜図３Ｄは、テレビ６の各寸法をメモ紙にメモするときの測定用テープ１の使用例である。
【００２２】
先ず、図３Ａに示すように、テレビ６画面の縦寸法を測定用テープ１で測定して、縦寸法位置の目盛２に隣接するエリア３に鉛筆やボールペンなどの筆記具により記す（←縦）。そして、図３Ｂに示すように、テレビ６の全高寸法を測定用テープ１で測定して、全高寸法位置の目盛２に隣接するエリア３に鉛筆やボールペンなどの筆記具により記す（←全高）。そして、図３Ｃに示すように、テレビ６画面の横寸法を測定用テープ１で測定して、横寸法位置の目盛２に隣接するエリア３に鉛筆やボールペンなどの筆記具により記す（←横）。これにより、テレビ６の各寸法が測定用テープ１のエリア３に記される（←縦／←横／←全高）。そして、図３Ｄに示すように、テレビ６の各寸法をメモ紙にメモするときは、巻尺５から測定用テープ１を適当に引き出し、測定用テープ１に記したテレビ６の各寸法（縦／横／全高）を、メモ紙に書き写せばよい。この後、測定用テープ１上のメモ書きを、消しゴムなどによって消せばよい。
【００２３】
図４は、他形態の測定用テープを示した測定用テープの平面図であり、図４に示した測定用テープ１は、短手方向の寸法を長くした幅広テープで、この幅広テープの場合は、寸法測定用の目盛２を測定用テープ１の長手方向両側端寄りにそれぞれ設ける共に、これら目盛２に挟まれている部位（中央部）を空白のエリア３とし、このエリア３に鉛筆やボールペンなどの筆記具を用いてメモ書きできるようにしている。
【００２４】
図５は、他形態の測定用テープを示した測定用テープの平面図であり、図５に示した測定用テープ１は、１ｃｍの位置を示している各目盛２の位置に対応させて、これら各目盛２の反対側の測定用テープ1の側端寄りに、所望のマーク７（本実施例では●印）を印したものである。すなわち、エリア３内に●印のマークを印したものである。勿論、マーク７の位置は所望する位置に印すようにしたり、また、目盛２に対応させない位置に印してもよい。そして、マーク７の間隔は、イーブン間隔（等間隔）やランダム間隔（規則性のない間隔）で印すようにしてもよい。
【符号の説明】
【００２５】
１…測定用テープ
２…目盛
３…エリア
４…フック
５…巻尺本体
６…テレビ
７…マーク
【図１】
0003189997.tif 000003
【図２Ａ】
0003189997.tif 000004
【図２Ｂ】
0003189997.tif 000005
【図２Ｃ】
0003189997.tif 000006
【図３Ａ】
0003189997.tif 000007
【図３Ｂ】
0003189997.tif 000008
【図３Ｃ】
0003189997.tif 000009
【図３Ｄ】
0003189997.tif 000010
【図４】
0003189997.tif 000011
【図５】
0003189997.tif 000012